(57)【特許請求の範囲】
【請求項１】
１または複数種類のユニット部材を連結し、上下且つ縦横に積み重ねて空隙率の高いブロック状の構造体を組み立て、地中に埋設してなる埋設構造体において、
ユニット部材に連結される補強部が設けられており、
該補強部は、縦横に隣接した上段４つ下段４つの合計８つのユニット部材のそれぞれのコーナーが集まる個所に嵌め込まれて、ユニット部材の組立時に縦横に延びる十字状の隙間を塞いでおり、
該補強部が、前記コーナーが集まる個所で前記８つのユニット部材に連結される継手としてのユニット部材連結部と、
該ユニット部材連結部から、前記十字状の隙間に沿ってユニット部材の略半分の位置まで延びる４つの延出部と、
該延出部のそれぞれの先端に形成されて、該延出部の延長線上に配置された他の同一構成からなる補強部の延出部の先端相互を連結する連結構成部とからなり、
ユニット部材に連結された多数の補強部の延出部を連結構成部によって相互に連結して、埋設構造体を横断する一体の補強部群を形成してなることを特徴とする埋設構造体。
【請求項２】
ユニット部材が、上面を開口し、底面に向かって漸次幅狭となる略截頭四角錐形状からなって、上下対称となるように配置して上下に積み重ねており、
ユニット部材の底面の四隅には下部連結孔が穿設され、
前記ユニット部材連結部の四隅に上下に突出する掛止軸が設けられ、
該掛止軸を上段４つ下段４つの合計８つのユニット部材のそれぞれのコーナーが集まる個所の下部連結孔に掛止めてなることを特徴とする請求項１に記載の埋設構造体。
【請求項３】
連結構成部が鉤状に形成されており、該連結構成部の先端に一対の係止突部が形成されており、該連結構成部の基端には、対向する別の連結構成部ユニットの係止突部を係合させるための受部が形成されていることを特徴とする請求項１または２に記載の埋設構造体。
【請求項４】
１または複数種類のユニット部材を連結し上下且つ縦横に積み重ねて空隙率の高いブロック状の構造体を組み立て、地中に埋設しててなる埋設構造体において、
ユニット部材に連結される補強部が設けられており、
前記ユニット部材間には、組み立て時に埋設構造体内で横方向に貫通する空隙が形成されており、
前記補強部が、単独であるいは複数を連結して一体となる柱状部材からなって前記埋設構造体内で横方向に貫通する空隙を通り抜けて横桟となり、上記一体となった柱状部材の両端には垂直姿勢の支承板が取り付けられて、荷重を分散しうることを特徴とする埋設構造体。
【発明の詳細な説明】
【０００１】
【発明が属する技術分野】
この発明は、ユニット部材を用いて空隙率の高い埋設構造体を組み立てる際に補強部を用いて横方向の強度を強めた構造に関する。
【０００２】
【従来の技術】
従来、例えば、外周壁に多数の孔を穿設した容器状部材をユニット部材として多数縦横且つ上下に積み重ねて構造物を組み立てたり、仕切枠をユニット部材として組み合わせてハニカム状の構造体（特公平４−２６６４８号や特公平４−３５５８０号）を組み立てたり、更には断面凹状のプレートをユニット部材として縦横交互に交差させて積み重ねて空隙率の高いブロック状の構造物を組み立てたりする構造が知られている。
しかし、上記構造では、上下方向には略一連にユニット部材の構成部分が繋がるので強度を高めることができるが、横方向（側方）には隙間が生じてしまい、ユニット部材の構成部分が横一連に横架されることがないので、強度が弱まる欠点がある。
特に前記構造物は、防水シートや保護シートで覆われて包み込まれ、地中や地下に埋設されるので、強度が不足した場合に補強することは困難であった。
また、チャンネル状に曲成されたユニット部材を縦横交互に積み重ねた構成等のように大きな隙間が生じない構成であっても、空隙率が大きいために側方の強度が充分でないという欠点がある。
【０００３】
【発明が解決しようとする課題】
この発明は、上記事情に鑑みて鋭意研究の結果創案されたものであって、その主たる課題は、横方向（側方）における埋設構造体の強度を高めるために連結されてユニット部材の隙間を通りながら一連に延びる補強部を用いて、埋設構造体の横方向（側方）の強度を高めることにある。
【０００４】
【課題を解決するための手段】
この発明は上記課題を解決するため、請求項１の発明では、
１または複数種類のユニット部材を連結し、上下且つ縦横に積み重ねて空隙率の高いブロック状の構造体を組み立て、地中に埋設してなる埋設構造体において、
ユニット部材に連結される補強部が設けられており、
該補強部は、縦横に隣接した上段４つ下段４つの合計８つのユニット部材のそれぞれのコーナーが集まる個所に嵌め込まれて、ユニット部材の組立時に縦横に延びる十字状の隙間を塞いでおり、
該補強部が、前記コーナーが集まる個所で前記８つのユニット部材に連結される継手としてのユニット部材連結部と、
該ユニット部材連結部から、前記十字状の隙間に沿ってユニット部材の略半分の位置まで延びる４つの延出部と、
該延出部のそれぞれの先端に形成されて、該延出部の延長線上に配置された他の同一構成からなる補強部の延出部の先端相互を連結する連結構成部とからなり、
ユニット部材に連結された多数の補強部の延出部を連結構成部によって相互に連結して、埋設構造体を横断する一体の補強部群を形成してなることを特徴とする。
また、請求項２の発明では、
前記ユニット部材が、上面を開口し、底面に向かって漸次幅狭となる略截頭四角錐形状からなって、上下対称となるように配置して上下に積み重ねており、
ユニット部材の底面の四隅には下部連結孔が穿設され、
前記ユニット部材連結部の四隅に上下に突出する掛止軸が設けられ、
該掛止軸を上段４つ下段４つの合計８つのユニット部材のそれぞれのコーナーが集まる個所の下部連結孔に掛止めてなることを特徴とする。
更に、請求項３の発明では、
前記連結構成部が鉤状に形成されており、該連結構成部の先端に一対の係止突部が形成されており、該連結構成部の基端には、対向する別の連結構成部ユニットの係止突部を係合させるための受部が形成されていることを特徴とする。
【０００５】
また、請求項４の発明では、
１または複数種類のユニット部材を連結し上下且つ縦横に積み重ねて空隙率の高いブロック状の構造体を組み立て、地中に埋設しててなる埋設構造体において、
ユニット部材に連結される補強部が設けられており、
前記ユニット部材間には、組み立て時に埋設構造体内で横方向に貫通する空隙が形成されており、
前記補強部が、単独であるいは複数を連結して一体となる柱状部材からなって前記埋設構造体内で横方向に貫通する空隙を通り抜けて横桟となり、上記一体となった柱状部材の両端には垂直姿勢の支承板が取り付けられて、荷重を分散しうることを特徴とする。
【０００６】
【発明の実施の形態】
以下に、この発明の埋設構造体を地下水槽１に適用した場合の好適実施例について図面を参照しつつ説明する。
本実施例のユニット部材２は、図４に平面図と底面図、図１１に側面図を示すように、公知の容器状部材として「シンシンブロック」（商品名  株式会社林物産製造）を用いている。
【０００７】
このユニット部材２は、上面を開口し、底面に向かって漸次幅狭となる略截頭四角錐形状からなっており、中央に底面側で開口する中空で截頭円錐状の柱部２５が形成されている。
そして、上部のフランジ２１のコーナーには掛止用の孔からなる上部連結部２３が形成され、底面２２は四隅に内側に凹む窪み部２６が形成されており、その窪み部２６の上面で前記底面２２よりやや高位置に下部連結孔２４が穿設されている。
【０００８】
そして、このユニット部材２は、上段に積み重ねる際には、上下対称に配置し、上部のフランジ２１には倒立させて下向きとなった上部のフランジ２１を整合し、底面２２には底面２２を整合して積み重ねている（図１１参照）。
このユニット部材２は、種々構造の継手、例えば前記掛止用の孔に係止する掛止軸を有するものや、柱部２５に嵌合し、あるいは外嵌する筒状のもの等を用いて、多数のユニット部材２相互を前後左右方向に且つ上下方向に連結することができるようになっている。
【０００９】
ここで本実施例の補強部３は、継手機能を兼ねる構成からなっている。
即ち、この補強部３は、図１に示すように、前記ユニット部材２が縦横に隣接した際に上段４つ下段４つの合計８つのユニット部材２のぞれぞれの下部連結孔２４に掛止めることができるように、上下一対の掛止軸５１を４個所に配したユニット部材用連結部５を中央に設けている。
【００１０】
そして上記連結部５の四隅に前記筒状の掛止軸５１と、該掛止軸５１の外側を覆う横断面アングル状の掛止壁部５２が形成されている。
そして、上記掛止壁部５２がユニット部材２の底面２２で四隅の窪み部２６のうちの１つに位置決めされ、下部連結孔２４に前記掛止軸５１が掛止め可能となっている。
【００１１】
また、上記連結部５の対向する掛止軸５１の間から外方へ９０度間隔で４つの延出部６が形成されている。
この延出部６の先端には、各延出部６の延長方向で隣接する別の補強部３を掛止めるために鉤状に形成された連結構成部連結構成部４が設けられている。
【００１２】
この連結構成部４の先端には、図２、図３および図６に示すように、一対の係止突部４１が形成されており、一方、連結構成部４の基端には、対向する連結構成部４の上記係止突部４１を係合させるための受部４２が形成されている。
この受部４２は、図２および図３で明瞭なように、上下に凹窩部４３が形成され、中央で掛止片部４４が横に延びた構成からなっている。
【００１３】
従って、使用に際しては、図５に示すように、ユニット部材２相互の隙間に前記延出部６並びに連結構成部４が配置され、そこで連結構成部４相互が掛止めしうるようになっている。
なお、補強部３’は、埋設構造体１の外端に配置されたユニット部材２に取り付けられるものである。
【００１４】
従って、この補強部３’では、外端に配置されたユニット部材２より外方へ突出しないように一方または二方の延出部および連結構成部が省略された構成からなっており、その幅は図示例では他と同じに設定したが、ユニット部材２の端部と整合するように約半分の幅に設定することが好ましい。
このようにして、ユニット部材２の隙間を塞ぐように縦横に交差して、補強部３が埋設構造体１の側方に一体的に架け渡される。
これにより埋設構造体１の側方の強度を高めることができる。
【００１５】
上記実施例では、多数の補強部３を連結して、埋設構造体１を横断する一体の補強部群を構成することができる。
【００１６】
図７および図８に示す応用例の補強部３は、継手を兼ねる構造からなっており、略十字状に形成された基台部３１と、その窪んだ四隅に配置されて上下一対に突出する筒状の掛止軸５１と、該掛止軸５１の外側を覆って端部が基台部３１に連設された横断面アングル状の掛止壁部５２とからなっている。
【００１７】
そして、上記掛止壁部５２がユニット部材２の底面２２で四隅の窪み部２６のうちの１つに位置決めされ、下部連結孔２４に前記掛止軸５１が掛止められる。
これにより、補強部３とユニット部材２とが一体となって埋設構造体１の横方向に一連に架け渡されて桟の機能を果たすので、埋設構造体１の横方向の強度を高めることができる。
【００１８】
また、図９に示す補強部３’は、埋設構造体１の外端に配置されたユニット部材２に取り付けられるものである。
この補強部３’は、図７に示した補強部３と共に使用されるもので、その補強部３を半分にした形状からなっているので、外端部分がユニット部材２より外側に突出することがなく、ユニット部材２を防水シートや保護シートで覆う際に補強部３のみが突出することなく、外周を一連に形成することができる。
【００１９】
また、先端壁部３２’は一定の幅を有しているので、地盤に衝合した際に補強部３’に加わる荷重を分散させることができる。
この際に先端壁部３２’を図９（ｂ）の仮想線で示すように幅広く設定してもよい。
この補強部３の取付例を図１０および図１１に例示する。
図１１で符号９は発泡スチロールや合成樹脂板等の密閉部材であって、ユニット部材２の外端に隙間無く嵌め込まれてシール性を高めている。
【００２０】
図１２は異なる形状のユニット部材２’の場合を例示したものである。
この実施例の補強部３は、連結されて一体となる複数の柱状部材からなっている。
この連結構成は特に限定されず、柱状部材を継手で連結するものであっても、あるいは筒部先端を漸次小径に絞り、他多端の筒部開口に押し込んで緊締しうる構成や、あるいは棒体の先端にネジを突設し後端にネジ孔を設けて相互に繋ぐ構成など、適宜に公知の構成を用いることができる。
【００２１】
そして、連結後の両端には幅広の支承板７を取り付けて、荷重を分散しうるようになっている。
上記実施例では、ユニット部材２’は、横方向に貫通する空隙を形成するので、その空隙に前記補強部３を挿入して埋設構造体１内に横架させて横桟として機能させる。
その際に、補強部３は、ユニット部材２に連結乃至拘束されるように連結乃至拘束手段を設けてもよいし、単に挿入するだけで、拘束手段を設けなくてもよい。
本実施例では、ユニット部材２’との上下の接触によって拘束されるようにその径の大きさを設定してある。
【００２２】
上記実施例ではユニット部材２の内部の空隙に補強部３を嵌挿した構造を例示したが、ユニット部材２、２間に形成される空隙が横方向に連通している場合には、その空隙に柱状の補強部を嵌挿する構成であってもよい（図１３の模式図参照）。
【００２３】
その他、ユニット部材の構成は特に限定されず、中空部材などの空隙率の高いものであればよく、要するにこの発明の要旨を変更しない範囲で種々設計変更しうるものである。
【００２４】
【発明の効果】
この発明は、ユニット部材を用いて空隙率の高い埋設構造体を組み立てる際に補強部を用いて横方向の強度を強めたので、地中や地下に埋設された構造体の安定性および信頼性を高めることができる。
また、従来強度上の問題で使用できなかったユニット部材であっても補強部を用いることにより使用できるので、空隙率の一層高い埋設構造体を作ることができる。
【図面の簡単な説明】
【図１】  実施例の補強部の平面図である。
【図２】  連結構成部の連結状態を示す平面図である。
【図３】  係止突部と受部の係合状態を示す説明図である。
【図４】  公知のユニット部材の一例を示す図で（ａ）は底面図、（ｂ）は平面図である。
【図５】  補強部の取付状態の一例を示す図である。
【図６】  補強部の側面図である。
【図７】  応用例の補強部の平面図である。
【図８】  同側面図である。
【図９】  端部に用いる補強部を示す図で（ａ）は平面図、（ｂ）は側面図である。
【図１０】  第２実施例の補強部の取付状態を示す図である。
【図１１】  同側面図である。
【図１２】  別の実施例の補強部を示す斜視図である。
【図１３】  柱状の補強部の模式図である。
【符号の説明】
１・・・埋設構造体
２・・・ユニット部材
３・・・補強部
４・・・連結構成部
５・・・ユニット部材用連結部
６・・・延出部
９・・・密閉部材
２１・・フランジ
２２・・底面
２３・・上部連結孔
２４・・下部連結孔
２５・・柱部
２６・・窪み部
４１・・係止突部
４２・・受部
４３・・凹窩部
５１・・掛止軸
【図１】
0003771770.tif 000002
【図２】
0003771770.tif 000003
【図３】
0003771770.tif 000004
【図４】
0003771770.tif 000005
【図５】
0003771770.tif 000006
【図６】
0003771770.tif 000007
【図７】
0003771770.tif 000008
【図８】
0003771770.tif 000009
【図９】
0003771770.tif 000010
【図１０】
0003771770.tif 000011
【図１１】
0003771770.tif 000012
【図１２】
0003771770.tif 000013
【図１３】
0003771770.tif 000014